(57)【要約】      （修正有）【課題】単管パイプを枠状に組み上げて家具の骨組みとするパイプ組立家具を提供する。【解決手段】両端に正方向ネジのネジ部１１を形成した単管パイプ１と、単管パイプの直線連結を含む三方向交差連結をなす中間ジョイント部材２を使用し、前記中間ジョイント部材２の直線連結方向以外の一方向の連結部を逆方向ネジに形成した逆ネジ連結部２３、当該逆方向ネジを設けた逆ネジ連結部２３と単管パイプ１との間に、両端に正逆方向ネジの正ネジソケット部４１、逆ネジ突部４２を設けた連結体４を介在させて骨組みを形成してなる。【選択図】図４
0003223847.tif 000002
【実用新案登録請求の範囲】
【請求項１】
単管パイプ端部をジョイント部材に螺合連結し、単管パイプを縦横の矩形枠に組み上げて形成する骨組みを備えてなる単管パイプ組立家具であって、両端に正方向ネジに形成した単管パイプと、単管パイプの直線連結を含む三方向交差連結の連結部を有するジョイント部材を使用し、前記ジョイント部材の直線連結方向以外の一方向の連結部を逆方向ネジに形成し、当該逆方向ネジを設けた逆ネジ連結部と単管パイプとの間に、両端に正逆方向ネジを設けた連結体を介在させて骨組みを形成してなることを特徴とする単管パイプ組立家具。
【請求項２】
単管パイプの直線連結を含む三方向交差連結の他に、直線連結を含まない三方向交差連結の連結部を有するジョイント部材を使用すると共に、前記ジョイント部材の一方向の連結部を逆方向ネジに形成し、当該逆方向ネジを設けた逆ネジ連結部と単管パイプとの間に、両端に正逆方向ネジを設けた連結体を介在させて骨組みを形成してなる請求項１記載の単管パイプ組立家具。
【請求項３】
単管パイプの直線連結を含む三方向交差連結の他に、直線連結を含むＴ状方向の連結部を有するジョイント部材を使用すると共に、前記ジョイント部材の直線連結と交差する方向の連結部を逆方向ネジに形成し、当該逆方向ネジを設けた逆ネジ連結部と単管パイプとの間に、両端に正逆方向ネジを設けた連結体を介在させて骨組みを形成してなる請求項１記載の単管パイプ組立家具。
【請求項４】
単管パイプの直線連結を含む三方向交差連結の他に、Ｌ状のコーナー箇所を連結する一対のジョイント部材を使用すると共に、前記ジョイント部材は、一方向の連結部を逆方向ネジに形成した部材と相方向共に正方向ネジに形成した部材の組み合わせとし、前記逆方向ネジを設けた逆ネジ連結部と単管パイプと連結に、両端に正逆方向ネジを設けた連結体を介在させて骨組みを形成してなる請求項１記載の単管パイプ組立家具。
【請求項５】
単管パイプの両端外周面に正方向ネジを形成し、ジョイント部材の連結部をソケット形状に形成してなる請求項１乃至４記載の何れかの単管パイプ組立家具。
【請求項６】
単管パイプの両端外周面に正方向ネジを形成し、ジョイント部材の連結部をボルト棒形状に形成してなる請求項１乃至４記載の何れかの単管パイプ組立家具。
【考案の詳細な説明】
【技術分野】
【０００１】
本考案は、単管パイプを枠状に組み上げて家具の骨組みとするパイプ組立家具に関するものである。
【背景技術】
【０００２】
単管パイプ（所定規格の金属管）を連結して立体枠状に組立て骨組みとした家具が知られている。前記の骨組み形成時における角部や分岐部における単管パイプ連結手段は、特許文献１に開示されているようにＬ字形やＴ字形のソケットジョイントが使用しており、単管パイプとソケットジョイントの連結には挿入嵌合構造が採用されている。
【０００３】
また特許文献２に示されているように、ソケットジョイントを採用せずに、パイプ端部にネジ穴を形成し、連結対象パイプを貫通するボルト体で螺合連結して組み立てる手段も知られている。またパイプの螺合連結においては、特許文献３に示されているように、対向する縦パイプの側面からボルト棒を突設し、架設される横パイプの端部にネジ穴を形成して螺合連結する際に、横パイプの両端の連結個所を同一螺合方向のネジ部（ネジ穴とボルト棒）にすると、一方端を螺合するためにパイプを回転させると他方端は緩む回転となるので、単管パイプには、両端に形成するネジ部（ネジ穴）は逆方向螺子とし、これに合わせて螺合対象のネジ部（ボルト棒）も、逆方向螺子の組み合わせとする必要がある。
【先行技術文献】
【特許文献】
【０００４】
【特許文献１】特開２０１６−１９５８８８号公報。
【特許文献２】登録実用新案３２１６６６２号公報。
【特許文献３】特開平８−３０８６５０号公報。
【考案の概要】
【考案が解決しようとする課題】
【０００５】
単管パイプを枠状に組み立てて骨組みとする組立家具を製作する際に単管パイプと単管パイプを連結するジョイントを採用する際にはＤＩＹ家具において、特許文献１開示のとおりソケットジョイントを採用すると、当該ジョイント部材が家具のアクセントとなり好まれる形式であるが、差込嵌合構造の場合には堅牢性が問題となり、堅牢性の点で螺合連結構造を採用する方が好ましいが、螺合構造を採用すると単管パイプの両端のネジ方向を逆とし、更にジョイント部材の対応ネジの方向も前記単管パイプのネジ方向に合致させる必要がある。
【０００６】
このため全ての単管パイプの両端の連結に互いに逆方向となるネジ部を採用すると、当然ジョイント部材における連結のためのネジ部も、前記単管パイプのネジ方向に対応するように形成しなければならなく、ジョイント部材の種類も増加し、更に組立の際にはネジ方向を確認して合致させながら行う必要があり組立作業が非常に煩瑣となる。
【０００７】
そこで本考案は、ジョイント部材を採用して螺合連結で組み立てる単管パイプ使用の組立家具において、使用部材の簡素化と組立容易性を図る新規な構成のパイプ組立家具及びパイプ組立家具用部材を提案したものである。
【課題を解決するための手段】
【０００８】
本考案の請求項１記載に係る単管パイプ組立家具は、単管パイプ端部をジョイント部材に螺合連結し、単管パイプを縦横の矩形枠に組み上げて形成する骨組みを備えてなる単管パイプ組立家具であって、両端に正方向ネジを形成した単管パイプと、単管パイプの直線連結を含む三方向交差連結（互いに直交するＸＹＺ軸方向）の連結部を有するジョイント部材（以下「中間ジョイント部材」という）を使用し、前記ジョイント部材の直線連結方向以外の一方向の連結部を逆方向ネジに形成し、当該逆方向ネジを設けた逆ネジ連結部と単管パイプとの間に、両端に正逆方向ネジを設けた連結体を介在させて骨組みを形成してなることを特徴とするものである。
【０００９】
而して単管パイプを矩形枠に組み上げていく際に、正方向ネジを組み合わせて順次単管パイプを連結することができるが、矩形枠を閉じる螺合連結では単管パイプを同一方向に回転させて螺合する必要があるので、当該箇所の連結に連結体を介在させることで中間ジョイント部材と単管パイプとの螺合連結が可能となる。
【００１０】
従って骨組み全体の組立に際しては、骨組み端部を構成するための適宜なジョイント部材、例えばＬ形状の適宜なジョイント部材、例えば両端に正方向ネジを形成したジョイント部材（エルボ型ジョイント部材）、又は一方を差込み構造として他方をネジとした部材（差し込みエルボ）を矩形枠の端縁に使用すると共に、前記中間ジョイント部材を所定箇所に使用して所定の単管パイプ組立家具の骨組みを形成することができる。特に組立に使用する単管パイプは両端が同一の正方向ネジ部を採用するので、組立時の装着方向を選択する煩わしさが無い。
【００１１】
また本考案の請求項２記載に係る単管パイプ組立家具は、前記した単管パイプの直線連結を含む三方向交差連結の他に、直線連結を含まない三方向連結の連結部を有するジョイント部材（以下「端部ジョイント部材」という）を使用すると共に、前記ジョイント部材の一方向の連結部を逆方向ネジ部に形成し、当該逆方向ネジを設けた逆ネジ連結部と単管パイプとの間に、両端に正逆方向ネジを設けた連結体を介在させて骨組みを形成してなるもので、前記した中間ジョイント部材と共に使用することで、上面や脚無下面等が矩形枠である単管パイプの骨組みを形成することができる。
【００１２】
また本考案の請求項３記載に係る単管パイプ組立家具は、前記した単管パイプの直線連結を含む三方向交差連結の他に、直線連結を含むＴ状方向の連結部を有するジョイント部材（以下「Ｔ状ジョイント部材」という）を使用すると共に、前記ジョイント部材の直線連結と交差する方向の連結部を逆方向ネジに形成し、当該逆方向ネジを設けた逆ネジ連結部と単管パイプとの間に、両端に正逆方向ネジを設けた連結体を介在させて骨組みを形成してなるもので、骨組みにおけるＴ状連結部分に使用することで、Ｔ状交差を含む骨組みを形成することができる。
【００１３】
また本考案の請求項４記載に係る単管パイプ組立家具は、前記した単管パイプの直線連結を含む三方向交差連結の他に、Ｌ状のコーナー箇所を連結する一対のジョイント部材（以下「コーナージョイント部材」という）を使用すると共に、前記ジョイント部材は、一方向の連結部を逆方向ネジに形成した部材と相方向共に正方向ネジに形成した部材の組み合わせとし、前記逆方向ネジを設けた逆ネジ連結部と単管パイプと連結に、両端に正逆方向ネジを設けた連結体を介在させて骨組みを形成してなるもので、上面や脚無下面等が矩形枠ではなくコの字状側面の場合の頂部横杆の連結に、エルボ型ジョイント部材や差し込みエルボでも骨組みの構築は可能であるが、特に上記コーナージョイント部材を採用し、連結体を介在させる連結構造を採用することで、全て螺合連結の堅牢な骨組みとすることができる。
【考案の効果】
【００１４】
本考案の構成は上記のとおり、適宜長さに揃えた複数の単管パイプと数種のジョイント部材で、螺合連結構造の所望形状の骨組みを備えた単管パイプ組立家具を容易に実現できたと共に、連結方向を特定する必要が無い単管パイプを採用でき、組立の作業の容易性を高めたものである。
【図面の簡単な説明】
【００１５】
【図１】本考案の実施形態の全体図で（イ）は完成図（ロ）骨組みを示す。
【図２】同骨組みの組立て説明図。
【図３】同使用部材の説明図で（イ）中間ジョイント部材（ロ）はエルボ型ジョイント部材（ハ）は連結体（ニ）は単管パイプ（ホ）は脚部材を示す。
【図４】同連結構造の説明図。
【図５】同骨組みの別例図（端部ジョイント部材の使用例）。
【図６】同骨組みの別例図（Ｔ状ジョイント部材の使用例）。
【図７】同骨組みの別例図（コーナージョイント部材の使用例）。
【図８】同連結構造の別例（単管パイプのネジ形成の変更例）の説明図。
【図９】同図。
【考案を実施するための形態】
【００１６】
次に本考案の実施形態について説明する。実施形態に示した単管パイプ組立家具は、図１に示すように骨組み構成が、単管パイプ１で上下側枠Ａ１，Ａ２及び上下棚枠Ｂ１，Ｂ２を備えると共に、上方側枠Ａ１が上方棚枠Ｂ１より上方突出してコの字状側面を備える形状で、前記骨組みの棚枠Ｂ１，Ｂ２に棚板Ｃを装着したものである。
【００１７】
骨組みに使用する部材は、長さの異なる４種類の単管パイプ（１ａ，１ｂ，１ｃ，１ｄ）と、中間ジョイント部材２と、上方側枠Ａ１の頂部横杆（頂部パイプ１ｂ）の連結に使用する差込みエルボ３と、連結体４と、脚部材５である。
【００１８】
単管パイプ１は、両端部外周面に正方向ネジ（右ネジ）を刻設したネジ部１１を形成してなるもので、骨組みの縦杆となる縦パイプ１ａと、前後横杆となる横パイプ１ｂと、左右側杆となる側パイプ１ｃと、頂部横杆となる頂部パイプ１ｄの４種類の長さのものが使用される。勿論図示した実施形態の骨組みの場合であり、他の形態を採用する場合には、更に長さの異なる単管パイプも使用することができることは言うまでもない。
【００１９】
中間ジョイント部材２は、直線連結を含む三方向（ＸＹＺ軸方向）で交差する箇所に使用するもので、各方向にソケット状で内周面にネジを形成した連結部２１，２２，２３を設けたもので、上下方向（Ｘ軸方向）の上下連結部２１ａ，２１ｂは正方向ネジ（右ネジ）２４を設け、横方向（Ｙ軸方向・Ｚ軸方向）の連結部の一方は正方向ネジ２４を設けた正ネジ連結部２２とし、他方が逆方向ネジ（左ネジ）２５を設けた逆ネジ連結部２３としたものである。
【００２０】
エルボ型ジョイント部材３は、エルボ型のパイプの端部内周面に正方向のネジ３１を刻設したものである。また前記のエルボ型ジョイント部材３の代わりに、一方の端部にのみネジを設け、他方端を差込み構造とした差し込みエルボを使用することもできる。
【００２１】
連結体４は、一方端がソケット形状で内周面に正方向ネジを設けた正ネジソケット部４１で、他方端を前記中間ジョイント部材２の逆ネジ連結部２３と対応する逆ネジを刻設した逆ネジ突部４２に形成したしたものである。
【００２２】
脚部材５は、単管パイプ１と同様の脚杆５１の上端外周に正方向ネジ（右ネジ）のネジ部５２を設け、下端に足板部５３を設けたものである。
【００２３】
而して前記の各部材を使用して骨組みを組み上げるには、例えば図２に示すように頂部パイプ１ｄの両端にエルボ型ジョイント部材３を螺合連結し、更にエルボ型ジョイント部材３に縦パイプ１ａと中間ジョイント部材２の上下連結部２１ａ，２１ｂを順次螺合連結して側枠Ａ１，Ａ２の外枠を形成する。
【００２４】
次に側枠Ａ１，Ａ２を形成するもので中間ジョイント部材２の正ネジ連結部２２と逆ネジ連結部２３を正対させて、前記正ネジ連結部２２と逆ネジ連結部２３の間に、側パイプ１ｃと逆ネジ連結部２３側に連結体４を配置して、正ネジ連結部２２に対応する右回転で側パイプ１ｃと連結体４を、正ネジ連結部２２と逆ネジ連結部２３の間に架設連結すると側枠Ａ１，Ａ２が構築される。
【００２５】
次に構築した側枠Ａ１，Ａ２を左右に配置し、左右に対向する中間ジョイント部材２の正ネジ連結部２２と逆ネジ連結部２３の間を、横パイプ１ｂと連結体４で連結して全体の骨組みを構築し、下方の中間ジョイント部材２に脚部材５を螺合装着する。
【００２６】
前記のとおり構築した骨組みに適宜所望の棚板Ｃを装着することで、所定の単管パイプ組立家具が組みあがる。
【００２７】
上記した実施形態は一例にすぎず、本考案の特徴は図４で示されるように単管パイプ１で形成される枠状構成を、一方向を逆ネジ連結部とした中間ジョイント部材２と連結体４を採用することで、両端を正ネジとした単管パイプでの組立を可能とした点である。少なくとも本考案はこの中間ジョイント部材２と連結体４を使用する事であり、必要に応じて前記した実施形態と異なる他のジョイント部材を使用するものである。
【００２８】
例えば図５に示すように、全体が箱型で上方側枠Ａ１を構築しない家具の場合には、上方の中間ジョイント部材２に替えて端部ジョイント部材６を使用する。
【００２９】
端部ジョイント部材６は、直線連結を含まない角部からＸＹＺ軸の三方向連結個所に連結部を設けたもので、２方向は正ネジ連結部２２に、一方向は逆ネジ連結部２３としたもので、中間ジョイント部材２同様に使用して、上面や脚無下面等が矩形枠である骨組みを形成することができる。
【００３０】
また図６に示したように、例えば縦パイプ１ａから側パイプ１ｄ（或いは横パイプ１ｂ）を分岐する骨組構造や、側パイプ１ｄの中間から横パイプ１ｂを架設する骨組構造を採用する場合にＴ状ジョイント部材７を使用する。
【００３１】
Ｔ状ジョイント部材７は、直線上に位置する直線連結部（正ネジ連結部）７１ａ，７１ｂと、前記直線連結部７１ａ，７１ｂと直交方向に突設した交差連結部（逆ネジ連結部）７２を備えたもので、直線連結部７１ａ，７１ｂは、各パイプ１のネジ部１１を連結し、交差連結部７２には各パイプ１の他方のネジ部１２に連結体４を装着して連結する。但しＴ状ジョイント部材７には直線連結部７１ａ，７１ｂ及び交差連結部７２の全てを正ネジ連結部に形成した部材も一部使用することになる。従ってＴ状交差部分を備えた所望の骨組構造を組み上げることができる。
【００３２】
更に図７に示すように、エルボ型ジョイント部材３に替えてコーナージョイント部材８を使用することもできる。コーナージョイント部材８は、Ｌ型パイプで一方向が正ネジ連結部（正方向ネジ）８１で、一方向が逆ネジ連結部（逆方向ネジ）８２に形成したもので、エルボ型ジョイント部材３との組み合わせで使用する。
【００３３】
特に上記コーナージョイント部材８を採用する際には、逆ネジ連結部８２と単管パイプ（頂部パイプ）１ｄの連結に連結体４を介在させるもので、これによって、側枠Ａ１，Ａ２を先に形成するという組立手順に限定されない利点がある。
【００３４】
また螺合構造の採用において、実施形態に示したように単管パイプ１の外周面にネジ部１１を設けずに、図８に示すようにパイプ内周面にネジ部１２を設けた単管パイプ１Ａを採用する場合は、例えば中間ジョイント部材２Ａとして、正ネジ連結部２１Ａ，逆ネジ連結部２３Ａをネジ棒状に形成した部材が使用される。
【００３５】
前記の螺合構造採用時の連結体４Ａは、正ネジ突部４３と逆ネジソケット部４４に形成したものを使用する。勿論これら合わせて使用されるエルボ型ジョイント部材、Ｔ状ジョイント部材、コーナージョイント部材、及び端部ジョイント部材もソケットタイプではなく棒体部材が使用される。
【００３６】
更に、図９に示すように単管パイプ１Ｂが、一方端がパイプ外周面にネジ部１２を設け、他方端がパイプ内周面にネジ部１１を設けている場合には、中間ジョイント部材２はそのままで、別の連結体４Ｂを使用する。
【００３７】
前記連結体４Ｂは、ネジ部１１と螺合する正ネジ突部４３と、中間ジョイント部材２の逆ネジ連結部２３に螺合する逆ネジ突部４２を備え、図１乃至７に示した骨組構造において、単管パイプ１Ｂと連結体４Ｂに置き換えて骨組み形成を行うものである。
【符号の説明】
【００３８】
Ａ１    上方側枠
Ａ２    下方側枠
Ｂ１    上方棚枠
Ｂ２    下方棚枠
Ｃ      棚板
１，１Ａ，１Ｂ    単管パイプ
１１，１２    ネジ部
１ａ    縦パイプ
１ｂ    横パイプ
１ｃ    側パイプ
１ｄ    頂部パイプ
２，２Ａ      中間ジョイント部材
２１ａ，２１ｂ    上下連結部
２２，２１Ａ    正ネジ連結部
２３，２３Ａ    逆ネジ連結部
２４    正方向ネジ
２５    逆方向ネジ
３      エルボ型ジョイント部材
３１    ネジ
４，４Ａ，４Ｂ    連結体
４１    正ネジソケット部
４２    逆ネジ突部
４３    正ネジ突部
４４    逆ネジソケット部
５      脚部材
５１    脚杆
５２    ネジ部
５３    足板部
６      端部ジョイント部材
７      Ｔ状ジョイント部材
７１ａ，７１ｂ    直線連結部（正ネジ連結部）
７２    交差連結部（逆ネジ連結部）
８      コーナージョイント部材
８１    正ネジ連結部
８２    逆ネジ連結部
【図１】
0003223847.tif 000003
【図２】
0003223847.tif 000004
【図３】
0003223847.tif 000005
【図４】
0003223847.tif 000006
【図５】
0003223847.tif 000007
【図６】
0003223847.tif 000008
【図７】
0003223847.tif 000009
【図８】
0003223847.tif 000010
【図９】
0003223847.tif 000011